【手続補正書】
【提出日】平成15年12月3日(2003.12.3)
【手続補正１】
【補正対象書類名】明細書
【補正対象項目名】発明の名称
【補正方法】変更
【補正の内容】
【発明の名称】レーザプリンタ及び可変位相クロック発生方法


【手続補正２】
【補正対象書類名】明細書
【補正対象項目名】特許請求の範囲
【補正方法】変更
【補正の内容】
【特許請求の範囲】
【請求項１】
レーザビームの走査に応じてビーム検出信号を生成するビーム検出装置と、前記ビーム検出信号に非同期なクロック信号を発生させるクロック装置とを備えたプリンタであって、
前記クロック信号を受信するために接続され、それぞれ遅延位相クロック信号を出力する複数のタップを含む遅延装置と；
前記ビーム検出信号の遷移に位相的に最も近接している遅延位相クロック信号である0°位相クロック信号を出力する、前記タップの１つを選択し且つ該タップの１つに対応する0°タップ番号を出力するための0°位相装置と；
前記ビーム検出信号毎に１回、イネーブル信号を出力するイネーブル装置と；
前記遅延装置の前記タップに結合されていて且つ前記イネーブル信号に応答するレジスタ装置であって、各前記タップにおける遅延位相クロック信号の状態を登録し且つ該状態を示す出力を与えるためのレジスタ装置と；
前記レジスタ装置の出力と前記0°タップ番号に応答する位相計算論理であって、前記0°位相クロック信号に対して定められた遅延位相関係を与える遅延位相クロック信号を出力する少なくとも１つのタップを決定し且つ該決定されたタップの信号を与えるための位相計算論理と；
前記タップに結合されていて且つ前記決定されたタップの信号に応答して、前記少なくとも１つのタップに現れる遅延位相クロック信号を出力に与えるゲート装置とを含んで成るレーザプリンタ。
【請求項２】
前記位相計算論理が、
クロック信号の高、低両部分の全体を張るタップ数の値を与える加算装置と；
前記値に応答して前記クロック信号の高、低両部分の一部分を張るタップ数を示す部分位相値を与える演算装置と；
前記部分位相値と前記の0°タップ番号に応答して、前記0°位相クロック信号に対して前記部分位相値を表す位相遅延クロック信号を出力するタップの部分タップ番号を識別する論理装置と
を含む請求項１記載のレーザプリンタ。
【請求項３】
前記論理装置が、さらに、前記部分タップ番号が前記遅延装置上の前記タップの全域内にあるかどうかを決定し、且つ、該全域になければ、前記部分位相値を表すタップとして、前記部分タップ番号を有する前記タップとは異なる、タップを決定する請求項2記載のレーザプリンタ。
【請求項４】
前記イネーブル装置が、前記ビーム検出信号と遅延位相クロック信号で制御されて前記イネーブル信号を出力する請求項3記載のレーザプリンタ。
【請求項５】
前記位相計算論理が、前記遅延位相クロック信号の高レベルを出力するタップ数と前記遅延位相クロック信号の低レベルを出力するタップ数とを別々に決めることを特徴とする請求項4記載のレーザプリンタ。
【請求項６】
レーザビームの走査に応じてビーム検出信号を生成するビーム検出装置と、前記ビーム検出信号に非同期であるクロック信号を発生させるクロック装置とを備えたレーザプリンタにおいて可変位相クロックを発生させる方法であって、
それぞれ遅延位相クロック信号を出力する複数のタップを含む遅延装置に前記クロック信号を印加するステップと；
前記ビーム検出信号の遷移に位相的に最も近接している遅延位相クロック信号である0°位相クロック信号を出力する0°位相タップを選択し且つ該0°位相タップに対応する0°タップ番号を出力するステップと；
前記ビーム検出信号毎に１回、イネーブル信号を出力するステップと；
前記イネーブル信号に応答して各前記タップにおける前記遅延位相クロック信号の状態を登録し、且つ該状態を示す出力を与えるステップと；
前記の0°位相クロック信号に対して定められた遅延位相関係を明示する遅延位相クロック信号を出力する少なくとも１つのタップである選択タップを決定し且つ該選択タップの信号を与えるステップと；
前記タップに結合され、前記選択タップの信号に応答して、前記選択タップに現れる遅延位相クロック信号を出力へ通すゲート装置を動作させるステップと
を設けて成る可変位相クロック発生方法。
【請求項７】
前記選択タップを決定するステップが、サブステップとして、
前記クロック信号の高低両部分を張るタップの全数の値を与えるサブステップと；
前記クロック信号の一部分を張るタップ数を示す部分位相値を与えるサブステップと；
前記部分値と前記0°タップ番号に応答して、前記0°位相クロック信号に対して前記部分位相値を表す位相遅延クロック信号を出力するタップの番号である部分タップ番号を識別するサブステップと
を含む請求項６記載の可変位相クロック発生方法。
【請求項８】
前記選択タップを決定するステップが、さらに、前記部分タップ番号が前記遅延装置上のタップ群の全域内にあるかどうかを決定し、且つ、もし該全域内になければ、前記部分位相値を表すが前記部分タップ番号とは異なるタップ番号を見出すサブステップを含む請求項7記載の可変位相クロック発生方法。
【手続補正３】
【補正対象書類名】明細書
【補正対象項目名】００１０
【補正方法】変更
【補正の内容】
【００１０】
【実施例】
本発明を実施した可変位相クロック発生器を、先ず、クロック発生器の小区分の機能を示すことで総括的に説明する。次いで、総括的説明の後、本発明の特定動作を図解する実施例について詳細な考察を行う。


【手続補正４】
【補正対象書類名】明細書
【補正対象項目名】００１１
【補正方法】変更
【補正の内容】
【００１１】
図１を参照して説明すると、ここに示したモジュールは、遅延連鎖10の複数のタップのうち、どのタップがビーム検出信号に時間的に最も近い位置にあるクロック信号遷移を与えるタップ（即ち、0°位相タップ）か、を決める。遅延連鎖10は、複数の非反転バッファから成り、端子A0-Anにおけるそのクロック信号出力を図６にプロットする。遅延連鎖10への入力は、非同期の水晶クロック信号である（この信号はタップA0で得られる）。


【手続補正５】
【補正対象書類名】明細書
【補正対象項目名】００１３
【補正方法】変更
【補正の内容】
【００１３】
探索論理回路14は位相検出論理回路16を包含し、位相検出論理回路16はメタステーブル状態が存在するかどうかを決め、もし存在しないなら、スナップショット・レジスタ連鎖12の第一フリップフロップの高又は低状態の出力に等しい出力を与える。簡単に云えば、スナップショット・レジスタ連鎖12におけるフリップフロップからの出力は、複数の"0"レベルを、続いて複数の"1"レベルを（又はその逆を）呈するはずであり、クロック信号の高状態を出力する一連の遅延素子を、続いてクロック信号の低状態を出力する一連の遅延素子を示す。


【手続補正６】
【補正対象書類名】明細書
【補正対象項目名】００３２
【補正方法】変更
【補正の内容】
【００３２】
図４Ａに移り、ライン34上のイネーブルパルスが、フリップフロップ90、92、94、96、等のイネーブル入力に印加される。フリップフロップ90、92、94、96、等は、クロック信号の半サイクルがその高状態にある間の持続時間の識別を可能にするクロック周期測定連鎖40を形成する。以下に明らかになるように、実質的に類似の回路（非表示）は、クロック信号の低状態（負）の半サイクルの限界を規定するタップの識別を与える。正負のタップ識別回路の動作は、クロック周期測定連鎖40がクロック信号の正遷移について動作し、一方、他のクロック周期測定連鎖がクロック信号の負遷移について動作することを除けば、実質的に類似している。


【手続補正７】
【補正対象書類名】明細書
【補正対象項目名】００４６
【補正方法】変更
【補正の内容】
【００４６】
（実施態様１）レーザビームの走査に応じてビーム検出信号を生成するビーム検出装置と、前記ビーム検出信号に非同期なクロック信号を発生させるクロック装置とを備えたプリンタであって、
前記のクロック信号を受信するために接続され、それぞれ遅延位相クロック信号を出力する複数のタップ(A0-A5)を含む遅延装置(10)と；その遅延位相クロック信号がビーム検出信号の遷移に位相的に最も近接している0°位相クロックである前記タップ(A0-A5)の１つを選択し且つそれに対応する0°タップ番号を出力するための0°位相装置(12、14、20、22)と；ビーム検出信号毎に１回イネーブル信号を出力するイネーブル装置(24)と；前記遅延装置(10)の前記タップ(A0-A5)に結合されていて且つ前記イネーブル信号に応答するレジスタ装置であって、各タップにおける遅延位相クロック信号の状態を登録し且つそれを示す出力を与えるためのレジスタ装置(90、92、94、96)と；


【手続補正８】
【補正対象書類名】明細書
【補正対象項目名】００４８
【補正方法】変更
【補正の内容】
【００４８】
（実施態様２）前記位相計算論理(42)が、クロック信号の高、低両部分全体を張るタップ数の値を与える加算装置(104、110、112)と；前記の値に応答して前記クロック信号の一部分を張るタップ数を示す部分位相値を与える演算装置(114、116)と；前記部分値と前記の0°タップ番号に応答する論理装置であって、位相遅延クロック信号が存在し、前記の0°位相クロック信号に関して前記部分位相値を表す部分タップ番号を識別する論理装置(132、134、122、124、136、138)とから成ることを特徴とする実施態様1記載のレーザプリンタ。
（実施態様３）
前記論理装置(132、134、122、124、136、138)が、さらに、前記部分タップ番号が前記遅延装置(10)上のタップ群の全域内にあるかどうかを決定し、且つ、もしなければ、前記部分位相値を表す別のタップを決定することを特徴とする実施態様2記載のレーザプリンタ。


【手続補正９】
【補正対象書類名】明細書
【補正対象項目名】００５０
【補正方法】変更
【補正の内容】
【００５０】
（実施態様６）レーザビームの走査に応じてビーム検出信号を生成するビーム検出装置と、前記ビーム検出信号に非同期であるクロック信号を発生させるクロック装置とを備えたレーザプリンタにおいて可変位相クロックを発生させる方法であって、それぞれ遅延位相クロック信号を出力する複数のタップ(A0-A5)を含む遅延装置(10)に前記クロック信号を印加するステップと；その遅延位相クロック信号がビーム検出信号の遷移に位相的に最も近接している0°位相クロックである0°位相タップを選択し且つそれに対応する0°タップ番号を出力するステップと；ビーム検出信号毎に１回イネーブル信号を出力するステップと；前記イネーブル信号に応答して各タップにおける遅延位相クロック信号の状態を登録し、且つそれを示す出力を与えるステップと；前記の0°位相クロックに対して定められた遅延位相関係を明示する少なくとも１つのタップを決定し且つ決定された選択タップの信号を与えるステップと；前記タップに結合され、前記の選択タップ信号に応答して、前記選択タップに現れる遅延位相クロック信号を出力へ通すゲート装置(44)を動作させるステップとを設けて成ることを特徴とする方法。